(57)【要約】【課題】ビニルハウスに設けられた出入口を開閉する引き戸装置の技術分野に属し、引き戸の建込み及び取り外し作業が容易な引き戸装置を提供する。【解決手段】出入口を構成する上辺及び下辺のフレームに沿ってスライド用レールがそれぞれ設置され、前記上辺のスライド用レールには引き戸の建込み用孔が少なくとも２箇所設けられていること、引き戸の上辺に、上下辺のスライド用レール間にスライド可能に収まるせいの高さで上向きに立ち上がる突出部が、２個の建込み用孔の間隔と等間隔で、同建込み用孔へ嵌る形状、大きさで設けられており、引き戸は、突出部を上辺のスライド用レールの建込み用孔へ差し込んで上下のスライド用レール間へ建て込まれる。【選択図】図２
0003134785.tif 000002
【実用新案登録請求の範囲】
【請求項１】
ビニルハウスに設けられた出入口を開閉する引き戸装置であって、
前記出入口を構成する上辺及び下辺のフレームに沿ってスライド用レールがそれぞれ設置され、前記上辺のスライド用レールには引き戸の建込み用孔が少なくとも２箇所設けられていること、
前記引き戸の上辺に、前記上下辺のスライド用レール間にスライド可能に収まるせいの高さで上向きに立ち上がる突出部が、前記２個の建込み用孔の間隔と等間隔で、同建込み用孔へ嵌る形状、大きさで設けられており、引き戸は、前記突出部を前記上辺のスライド用レールの建込み用孔へ差し込んで上下のスライド用レール間へ建て込まれることを特徴とする、ビニルハウスの引き戸装置。
【請求項２】
スライド用レールはＣ型鋼であることを特徴とする、請求項１に記載したビニルハウスの引き戸装置。
【請求項３】
引き戸の下辺部を構成する横枠に、下辺のスライド用レールの上を転がる車輪が取り付けられていることを特徴とする、請求項１又は２記載したビニルハウスの引き戸装置。
【考案の詳細な説明】
【技術分野】
【０００１】
この考案は、ビニルハウスに設けられた出入口を開閉する引き戸装置の技術分野に属し、更に云うと、引き戸の建込み及び取り外し作業が容易な引き戸装置に関する。
【背景技術】
【０００２】
近年、各種野菜、果物などの促成栽培だけでなく、家庭においてガーデニングや家庭菜園等に使用される大小様々なビニルハウスが利用されている。このようなビニルハウスは、ビニルハウス内への人の出入りや植物、肥料等の搬入、搬出のための出入口が設けられたものが一般的であり、その出入口にはスライド式の引き戸装置が利用されている。
上記のような引き戸装置として、引き戸を上辺のレールから戸車で吊り下げた懸垂式が主流である。その理由は、下辺のレールは環境上、泥やゴミ類で汚れやすく、また地面の上に置いて設置されるので地面の不陸によって水平レベルを出し難いし、水平度を維持し難いからである。
【考案の開示】
【考案が解決しようとする課題】
【０００３】
上記の懸垂式の引き戸装置をビニルハウスの出入口へ建込む技術は、その作業として、上辺のレールをビニルハウスの骨組へ先付けし、同レールへ装着した懸垂式の戸車へその下方から引き戸を持ち上げて結合し、前記引き戸の下端と下辺のレールの位置とを合わせて同下辺のレールをハウスの骨組へ取り付けて、引き戸を上下のレールの溝内へ配置している。
【０００４】
この場合、一時的にせよ引き戸を持ち上げたまま戸車との結合を達成する間の作業は大変な重労働であるし、その高さ位置を適切に固定設置することは容易ではない。特に家庭菜園用等で個人が使用する小型のビニルハウスにおいては、熟練した技術のない作業者が前記建込み作業を行うことになり非常にラフな設計と施工となる。従って、引き戸が上下のレール内へ適切に収まらず、同引き戸をスライドさせる際にがたついたり、強風が吹いた際には風にあおられて外れてしまうという問題点が指摘されている。
【０００５】
また、引き戸の交換やシートを貼り替える等のメンテナンスのため、同引き戸を取り外す必要がある場合、上記の技術では引き戸を上辺のレールの戸車からその都度外さなければならず非常に面倒な作業を要することとなる。
【０００６】
本考案の目的は、ビニルハウスに設けられた出入口を開閉する引き戸装置において、引き戸の建込み及び取り外しを容易に実施でき、不用意に外れる心配のないビニルハウスの引き戸装置を提供することにある。
【課題を解決するための手段】
【０００７】
上記した背景技術の課題を解決するための手段として、請求項１に記載した考案に係るビニルハウスの引き戸装置は、
ビニルハウスに設けられた出入口を開閉する引き戸装置であって、
前記出入口を構成する上辺及び下辺のフレームに沿ってスライド用レールがそれぞれ設置され、前記上辺のスライド用レールには引き戸の建込み用孔が少なくとも２箇所設けられていること、
前記引き戸の上辺に、前記上下辺のスライド用レール間にスライド可能に収まるせいの高さで上向きに立ち上がる突出部が、前記２個の建込み用孔の間隔と等間隔で、同建込み用孔へ嵌る形状、大きさで設けられており、引き戸は、前記突出部を前記上辺のスライド用レールの建込み用孔へ差し込んで上下のスライド用レール間へ建て込まれることを特徴とする。
【０００８】
請求項２に記載した考案は、請求項１に記載しビニルハウスの引き戸装置において、
スライド用レールはＣ型鋼であることを特徴とする。
【０００９】
請求項３に記載た考案は、請求項１又は２に記載したビニルハウスの引き戸装置において、
引き戸の下辺部を構成する横枠に、下辺のスライド用レールの上を転がる車輪が取り付けられていることを特徴とする。
【考案の効果】
【００１０】
請求項１又は２に記載した考案に係るビニルハウスの引き戸装置は、ビニルハウスに設けられた出入口を構成する上辺及び下辺のフレームに沿ってスライド用レールを設置し、上辺のスライド用レールに引き戸の建込み用孔を設け、前記引き戸の上辺に突出部を設け、前記引き戸の突出部を前記建込み用孔へ差し込んで上下のスライド用レール間へ建込む構成としたので、引き戸の建て込み作業が熟練した技術が無くても容易にならしめる。取り外し作業も従前の如く引き戸や戸車等の部材を取り外すことなく単に引き戸の突出部を建込み用孔差し込めば実施できるので、引き戸の交換やシートの張り替え等のメンテナンス作業を容易にし積極的に行える。
【００１１】
また、前記突出部は前記上下辺のスライド用レール間にスライド可能に収まるせいの高さであるので、引き戸は外力で外れにくく、且つ引き戸のスライドをスムーズに実施できる。
【００１２】
請求項３に記載した考案は、引き戸の下辺部を構成する横枠に、下辺のスライド用レールの上を転がる車輪を取り付けたので、上辺のスライド用レールが経年変化により垂れ下がってきた際に、前記車輪が下辺のスライド用レールのリップ部に接し、前記スライド用レールの更なる変形を防止すると共に、引き戸の左右のスライドのスムーズさを保持できる。
【考案を実施するための最良の形態】
【００１３】
本考案は、ビニルハウスに設けられた出入口を開閉する引き戸装置である。
出入口Ａを構成する上辺及び下辺のフレーム２１、２２に沿ってスライド用レール３、４がそれぞれ設置され、前記上辺のスライド用レール３には引き戸の建込み用孔３０が少なくとも２箇所設けられている。
前記引き戸６の上辺に、前記上下辺のスライド用レール３、４間にスライド可能に収まるせいの高さで上向きに立ち上がる突出部７、７が、前記２個の建込み用孔３０、３０の間隔と等間隔で、同建込み用孔３０へ嵌る形状、大きさで設けられており、引き戸６は、前記突出部７を前記上辺のスライド用レール３の建込み用孔３０へ差し込んで上下のスライド用レール３、４間へ建て込まれる。
【実施例１】
【００１４】
本考案に係るビニルハウスの引き戸装置を、図面に示した実施例に基づいて説明する。
図１は、家庭菜園等に使用される小型のビニルハウス１に実施された引き戸装置の実施例を示している。図示したビニルハウス１は、骨組２として溝形状のアルミ製のフレーム材を図示を省略した連結金具等により接続し、所謂片流れ屋根式で出入口Ａが片開き式として組み立て、組み上げた骨組２の上から出入口Ａを除いてビニルシート８を被覆し、締結具（シート止め線）を用いて定着し形成されるものである。
本考案は、図示したように片開きの引き戸のみならず両開きや引き違い戸構造にも同様に実施できる。
【００１５】
上記ビニルハウス１の引き戸装置は、図２、図３に示すように、前記出入口Ａを構成する上辺フレーム２１及び下辺のフレーム２２に沿って、上辺のスライド用レール３及び下辺のスライド用レール４がそれぞれ設置される。前記上下辺のスライド用レール３、４はＣ型鋼であり、上辺のスライド用レール３には建込み用孔３０が少なくとも２箇所設けられている。
この上辺のスライド用レール３はその溝を下に向け、図３に示すように溝部を外側（正面）に向けて取り付けた上辺のフレーム２１の背面（内側面）に沿わせ、タップビスＢ１で締結して同フレーム２１と接合される。
【００１６】
また、前記下辺のスライド用レール４はその溝を上へ向け、やはり出入口Ａの下辺として溝部を外側（正面）に向けて取り付けられたフレーム２２の背面（内側面）に沿って配置し、タップビスＢ２により同フレーム２２と接合される。
【００１７】
次に、上記のように出入口Ａの上下辺のフレーム２１、２２に沿って設置されたスライド用レール３、４間に建込まれる引き戸６について説明する。前記引き戸６は、上述した溝形状のフレーム材を縦枠６０と横枠６１とを組み合わせ、その片面側にビニルシートを被覆して形成されている。
【００１８】
この引き戸６の上辺には、前記上下辺のスライド用レール３、４間にスライド可能に収まるせい高さで上向きに立ち上がる突出部７、７が、前記２個の建込み用孔３０の間隔と等間隔で、同建込み用孔３０へ嵌る形状、大きさで設けられている。
前記突出部７は具体的には、縦枠６１の上端部が上辺の横枠６１より上へ突出するように組み合わせて形成される。
【００１９】
この突出部７、７の高さは、上辺のスライド用レール３と引き戸６の突出部７との間に５ｍｍ〜１０ｍｍのクリアランスＳが生じる程度に設計されている。この高さ寸法は引き戸６が上下辺のスライド用レール３、４間に適切に収まり、風等による外力で外れ難く、且つ引き戸６のスライドをスムーズに実施可能な範囲である。また、前記引き戸６の上辺部を成す横枠６１は前記上辺のスライド用レール３内に１０ｍｍ程度内在していることが好ましい。
【００２０】
上記のように構成したので、引き戸６をハウス１へ建込む際には図２Ａ〜Ｃに示すように、作業者は先ず引き戸６本体を突出部７、７が上に来るように持ち（図２Ａ）、同引き戸６の突出部７、７と上辺のスライド用レール３の建込み用孔３０、３０とを一致させ（図２Ｂ）て差し込み、引き戸６の下辺を下辺のスライド用レール４の溝に合わせ上下のスライド用レール３、４間へ収めるという簡易な作業で実施でき、適宜、左右にスライドさせる（図２Ｃ）。
【００２１】
引き戸６を取り外す場合は、単に前記突出部７、７と前記建込み用孔３０、３０とを合わせ引き戸を持ち上げて差し込み、下辺のスライド用レール４から引き戸６を外すのみで実施できる。
【００２２】
本考案は、図３の断面図が示すように、ハウス１の屋根フレーム２３は出入口Ａを形成する上辺のフレーム２１の上に載置され、同屋根フレーム２３の外側にビニルシート８が定着されているので、前記シート８と上辺のフレーム２１との間に４０ｃｍ程度の隙間Ｓ２が生じる。この隙間Ｓ２は、換気口としての役割に供することができ、換気口を新たに設ける必要が排除されるという利点がある。
【実施例２】
【００２３】
次に請求項３に記載した考案を説明する。この実施例２は図１〜３に記載した実施例１と略同様の構成であり、以下にその相違点を中心に説明する。
即ち、実施例２は図４Ａ、Ｂに示すように、上記引き戸６の下辺部を構成する横枠６１に、下辺のスライド用レール４のリップ部４０上を転がる車輪９が取り付けられている。
【００２４】
具体的には図５の側面図が示すように、前記横枠６１の取り付け高さは、少なくとも高さ方向の中央部が前記スライド用レール４の外に露出する高さ位置で縦枠６０と組み合わされており、前記車輪９は、前記横枠６１の背面の中央部で且つ上記リップ部４０との間にクリアランスＳ３を有する高さに配置され、ボルト１０とナット１１により取り付けられている。
【００２５】
したがって、上辺のスライド用レール３が経年変化により垂れ下がってきた際に、前記車輪９が下辺のスライド用レール４のリップ部４０に接し、前記スライド用レール３の更なる変形を防止すると共に、同車輪９が前記リップ部４０の上を転がって引き戸６の左右のスライドのスムーズさを保持できる。
図示例では車輪９を２個取り付けたが、この限りではなく、横枠６１の先端部のみ、又は中央部にのみ１個取り付けて実施することもできる。
【００２６】
以上に本考案の実施例を説明したが、本考案はこうした実施例に何ら限定されるものではなく、本考案の要旨を逸脱しない範囲において、種々の形態で実施し得る。例えば引き戸６に車輪等を取り付けてスライドをスムーズにして実施することも当然実施される。
【図面の簡単な説明】
【００２７】
【図１】本考案に係るビニルハウスの引き戸装置の概略図を示した図である。
【図２】Ａ〜Ｃは本校案に係るビニルハウスの引き戸装置の具体的な構造を示した図である。
【図３】図１の断面図である。
【図４】Ａは実施例２の考案を示した全体図である。ＢはＡの拡大斜視図である。
【図５】図４Ｂの拡大側面図である。
【符号の説明】
【００２８】
１        ビニルハウス
２        骨組
３        上辺のスライド用レール
４        下辺のスライド用レール
５        固定手段
６        引き戸
７        突出部
８        ビニルシート
９        車輪
【図１】
0003134785.tif 000003
【図２】
0003134785.tif 000004
【図３】
0003134785.tif 000005
【図４】
0003134785.tif 000006
【図５】
0003134785.tif 000007